(57)【要約】【課題】音声信号を２チャンネルからマルチチャンネルに変換するための設定方法をユーザが容易に知ることができるＡＶ装置、及びＡＶシステムを提供する。【解決手段】ＡＶシステムのＡＶ装置が、音声判定部と表示制御部とを備える。音声判定部は、音声信号が２チャンネルであるか否かを判定する。表示制御部は、音声信号が２チャンネルであると判定されるとき、音声信号を２チャンネルからマルチチャンネルに変換するチャンネル変換を音声変換回路部に行わせるための設定方法の表示画面を表示装置に表示させる。【選択図】図１
2014045397.tif 000002
【特許請求の範囲】
【請求項１】
音声信号が２チャンネルであるか否かを判定する音声判定部と、
前記音声信号が前記２チャンネルであると判定されるとき、前記音声信号を前記２チャンネルからマルチチャンネルに変換するチャンネル変換を音声変換回路部に行わせるための設定方法の表示画面を表示装置に表示させる表示制御部と、
を備えることを特徴とするＡＶ装置。
【請求項２】
ユーザの入力を受け付ける入力装置と、
前記入力装置が受け付ける前記入力に応じて、前記表示画面を前記表示装置に表示させるか否かを設定する設定制御部と、
をさらに備えることを特徴とする請求項１に記載のＡＶ装置。
【請求項３】
前記音声変換回路部をさらに備えることを特徴とする請求項１又は請求項２に記載のＡＶ装置。
【請求項４】
表示装置と、
音声信号を２チャンネルからマルチチャンネルに変換するチャンネル変換を行う機能を有する音声変換回路部と、
前記音声信号が前記２チャンネルであるか否かを判定する音声判定部と、前記音声信号が前記２チャンネルであると判定されるとき、前記チャンネル変換を前記音声変換回路部に行わせるための設定方法の表示画面を前記表示装置に表示させる表示制御部と、
を備えることを特徴とするＡＶシステム。
【発明の詳細な説明】
【技術分野】
【０００１】
本発明は、マルチチャンネルの音声信号を出力するＡＶシステムに関し、特に、ＡＶシステムの音声出力設定を行うＡＶ装置に関する。
【背景技術】
【０００２】
一般のホームシアターモデルのＡＶ装置などでは、２チャンネル音声を疑似的なマルチチャンネル音声に変換する機能を有している。そのため、ユーザは、予めその機能を有効にする設定をしておけば、たとえばＣＤ（Compact Disc）などで採用されているステレオ音声などの２チャンネル音声を迫力のあるマルチチャンネル音声として出力させることができる。
【０００３】
たとえば、特許文献１では、２チャンネルステレオ音声信号から疑似マルチチャンネル音声信号を分離合成している。疑似マルチチャンネル音声信号は、各チャンネルのそれぞれに対応するスピーカーで再生される。また、特許文献２では、ＤＳＰが音声信号のチャンネル数を疑似的に増減する処理を実行する。
【先行技術文献】
【特許文献】
【０００４】
【特許文献１】特開２００６−１２１１５２号公報
【特許文献２】特開２００８−７２４００号公報
【発明の概要】
【発明が解決しようとする課題】
【０００５】
しかしながら、実際には、２チャンネルの音声信号を疑似的なマルチチャンネルに変換する機能がＡＶ装置にあることをユーザが知らない場合がある。さらに、ユーザが、音源の音声信号が２チャンネルであるかマルチチャンネルであるかも理解していない場合もある。これらの場合、他のユーザから教えてもらうなどの機会がなければ、２チャンネルの音声信号を疑似的なマルチチャンネルに変換する機能をユーザが利用できないことが多い。そのため、ユーザはＡＶシステムの機能を充分に活用することができない。また、ユーザが、２チャンネルの音声信号を疑似的なマルチチャンネルに変換させるための設定方法を習熟していない場合もある。このような場合、ユーザは、説明書を読みなおしたり、その設定方法を問い合わせたりするなどの必要がある。そのため、２チャンネルの音声信号を疑似的なマルチチャンネルに変換させるための設定が非常に面倒となり、この機能の利用を諦めるユーザもいる。これらの問題に関して、特許文献１及び２では何ら考慮されていない。
【０００６】
本発明は、上記の問題を鑑みてなされたものであり、音声信号を２チャンネルからマルチチャンネルに変換するための設定方法をユーザが容易に知ることができるＡＶ装置、及びＡＶシステムを提供することを目的とする。
【課題を解決するための手段】
【０００７】
上記目的を達成するために、本発明のＡＶ装置は、音声信号が２チャンネルであるか否かを判定する音声判定部と、前記音声信号が前記２チャンネルであると判定されるとき、前記音声信号を前記２チャンネルからマルチチャンネルに変換するチャンネル変換を音声変換回路部に行わせるための設定方法の表示画面を表示装置に表示させる表示制御部と、を備えることを特徴とする。
【０００８】
上記構成によれば、音声信号が２チャンネルであると判定されるとき、その音声信号をマルチチャンネルにチャンネル変換するための設定方法の表示画面が表示装置に表示される。従って、音声信号を２チャンネルからマルチチャンネルに変換するための設定方法をユーザが容易に知ることができる。
【０００９】
また、上記構成において、ユーザの入力を受け付ける入力装置と、前記入力装置が受け付ける前記入力に応じて、前記表示画面を前記表示装置に表示させるか否かを設定する設定制御部と、をさらに備えていてもよい。
【００１０】
この構成によれば、ユーザは、チャンネル変換の設定方法の表示画面を表示装置に表示させるか否かを予め設定することができる。そのため、ユーザがチャンネル変換の設定方法に習熟している場合には、その表示画面を表示させないようにすることができる。よって、ユーザはストレスなく装置を使用することができる。
【００１１】
また、上記構成において、前記音声変換回路部をさらに備えていてもよい。
【００１２】
この構成によれば、音声変換回路部を備える装置を接続する必要がなくなるので、装置数を少なくすることができる。従って、音声信号を出力する装置構成を簡略化することができる。
【００１３】
また、上記目的を達成するために、本発明のＡＶシステムは、表示装置と、音声信号を２チャンネルからマルチチャンネルに変換するチャンネル変換を行う機能を有する音声変換回路部と、前記音声信号が前記２チャンネルであるか否かを判定する音声判定部と、前記音声信号が前記２チャンネルであると判定されるとき、前記チャンネル変換を前記音声変換回路部に行わせるための設定方法の表示画面を前記表示装置に表示させる表示制御部と、を備えることを特徴とする。
【００１４】
上記構成によれば、音声信号が２チャンネルであると判定されるとき、その音声信号をマルチチャンネルにチャンネル変換するための設定方法の表示画面が表示装置に表示される。従って、音声信号を２チャンネルからマルチチャンネルに変換するための設定方法をユーザが容易に知ることができる。
【発明の効果】
【００１５】
本発明によれば、音声信号を２チャンネルからマルチチャンネルに変換するための設定方法をユーザが容易に知ることができるＡＶ装置、及びＡＶシステムを提供することができる。
【図面の簡単な説明】
【００１６】
【図１】本発明の実施形態に係るＡＶシステムの構成図である。
【図２】チャンネル変換の設定方法のヘルプ表示画面を表示する手順を説明するためのフローチャートである。
【図３】ヘルプ表示画面の第１表示モードを示す図である。
【図４】ヘルプ表示画面の第２表示モードを示す図である。
【図５】ヘルプ表示画面の第３表示モードを示す図である。
【図６】ヘルプ表示画面の第４表示モードを示す図である。
【図７】ヘルプ表示画面の第５表示モードを示す図である。
【発明を実施するための形態】
【００１７】
以下に、本発明の実施形態について図面を参照して説明する。
【００１８】
図１は、本発明の実施形態に係るＡＶシステムの構成図である。図１に示すように、ＡＶシステム１は、ＢＤプレイヤー２、液晶ディスプレイ３と、複数のスピーカー４と、を含んで構成される。なお、ＢＤプレイヤー２は、ＡＶシステム１において音声信号や映像信号を再生出力するためのＡＶ装置の一例である。また、液晶ディスプレイ３は表示装置の一例である。
【００１９】
ＢＤプレイヤー２は、ＢＤ（Blu-ray Disc）、ＤＶＤ（Digital Versatile Disc）、ＣＤ（Compact disc）などのディスク記憶媒体から音声データや映像データなどの読み出しを行うディスク再生装置である。ＢＤプレイヤー２には、液晶ディスプレイ３及び複数のスピーカー４が接続されている。このほか、ＢＤプレイヤー２には、他のＡＶ装置が接続されていてもよい。外部接続されるＡＶ装置としては、たとえば、ＣＤプレイヤー及びレコードプレイヤーなどのディスク再生装置、ＢＤレコーダ、ＤＶＤレコーダ、及びＨＤＤ（Hard disc drive）レコーダなどのディスク記録再生装置、ＭＰ３プレイヤーなどの携帯型の映像／音声再生装置を挙げることができる。ＢＤプレイヤー２は、これらのＡＶ装置から入力される音声信号や映像信号をＡＶシステム１で再生出力させることができる。
【００２０】
図１に示すように、ＢＤプレイヤー２は、ＢＤドライブ２１と、外部入出力部２２と、入力部２３と、リモートコントローラ（以下、リモコンと呼ぶ。）２４と、リモコン受信部２５と、メモリ２６と、アンプ２７と、マイクロプロセッサ２８と、を含んで構成される。
【００２１】
ＢＤドライブ２１は、ＢＤ、ＤＶＤ、ＣＤなどのディスク記録媒体が利用可能なディスクドライブ装置である。ＢＤドライブ２１は、ディスク記録媒体から音声データや映像データなどを読み出し、それらの読み出したデータに対応する内部音声信号及び又は映像信号を出力する。また、ＢＤドライブ２１は、物理情報やメタデータなどもディスク記録媒体から読み出す。物理情報は、ディスク記憶媒体の規格などを示す。また、メタデータは、ディスク記録媒体に記録されている音声データや映像データの種類や規格などを示す。特に、このメタデータは、音声データが、２チャンネルのステレオ音声であるか、ドルビーデジタル、５．１ｃｈ、７．１ｃｈなどの３チャンネル以上のマルチチャンネルの音声であるかなどを示す。読み出された物理情報やメタデータはマイクロプロセッサ２８に転送される。
【００２２】
外部入出力部２２は、外部接続端子２２１を介してＢＤプレイヤー２に他のＡＶ装置が接続されているとき、他のＡＶ装置に対して様々な信号の入出力を行うインターフェースである。たとえば、外部入出力部２２には他のＡＶ装置から、外部音声信号、映像信号、それらのメタデータなどが入力される。また、外部入出力部２２から他のＡＶ装置には制御信号などが出力される。
【００２３】
入力部２３は、ユーザがＡＶシステム１に対する指示をＢＤプレイヤー２に入力するための入力装置である。入力部２３は、ユーザの様々な入力を受け付け、その入力に基づく制御信号をマイクロプロセッサ２８に入力する。
【００２４】
リモコン２４は、ユーザが外部からＡＶシステム１に対する指示をＢＤプレイヤー２に入力するための入力装置である。リモコン２４は、ユーザの入力を受け付け、その入力に基づく赤外線信号をＢＤプレイヤー２に送信する。
【００２５】
リモコン受信部２５は、リモコン２４から送信される赤外線信号を受信し、その赤外線信号に基づく制御信号をマイクロプロセッサ２８に入力する。
【００２６】
メモリ２６は不揮発性の記憶媒体である。メモリ２６には、マイクロプロセッサ２８やアンプ２７の後述するＤＳＰ２７１が利用するプログラムや制御情報などが格納されている。制御情報は、たとえば、外部入出力部２２に外部入力される制御信号や、後述する表示設定情報及び変換設定情報などを含む。
【００２７】
アンプ２７は音声信号を増幅する増幅装置である。このアンプ２７には、ＤＳＰ（Digital signal processor）２７１が搭載されている。ＤＳＰ２７１は、メモリ２６に格納されるプログラムを用いて、音声信号に様々な変換処理を行う機能を有する音声変換回路部である。たとえば、ＤＳＰ２７１は、音声信号の振幅や位相を調整したり、そのチャンネル数を疑似的に増減したりする。これらの音声変換処理の条件は、メモリ２６に格納されている変換設定情報に設定されている。ＤＳＰ２７１は、この変換設定情報、及びマイクロプロセッサ２８から入力される制御信号に基づいて、上述の音声変換処理を行う。
【００２８】
また、ＤＳＰ２７１は、内部音声信号又は外部音声信号が２チャンネルの音声信号であると判定され、且つ、音声信号を２チャンネルから所定のマルチチャンネルに変換する旨が変換設定情報に設定されているとき、内部音声信号又は外部音声信号を変換設定情報に設定されている所定のマルチチャンネルの音声信号に変換する。以下では、この音声変換をチャンネル変換と呼ぶ。チャンネル変換の手法や所定のマルチチャンネルは、特に限定しない。このチャンネル変換は、たとえば、ドルビープロロジックやＤＴＳｎｅｏ６など疑似的なチャンネル変換手段を用いて行われる。また、所定のマルチチャンネルの例としては、ドルビーデジタル、５．１ｃｈサラウンド、７．１ｃｈサラウンドなどの３チャンネル以上のマルチステレオを挙げることができる。
【００２９】
マイクロプロセッサ２８は、メモリ２６に格納されるプログラムを用いて、ＢＤプレイヤー２の各構成部や、ＢＤプレイヤー２に接続される外部装置を制御する制御部である。マイクロプロセッサ２８は、音声判定部２８１と、表示制御部２８２と、設定制御部２８３と、を含んで構成される。
【００３０】
音声判定部２８１は、ＢＤドライブ２１から出力される内部音声信号、又は外部入出力部２２に外部から入力される外部音声信号が、２チャンネルの音声信号であるか否かを判定する。この判定は、たとえば、内部音声信号又は外部音声信号のメタデータに基づいて行われる。或いは、この判定は、音声判定部２８１が内部音声信号又は外部音声信号の種類や規格などを解析した結果に基づいて行われてもよい。
【００３１】
表示制御部２８２は、液晶ディスプレイ３の表示動作を制御する。たとえば、表示制御部２８２は、ヘルプ表示画面３１を液晶ディスプレイ３に表示させる（後述の図３〜７参照）。このヘルプ表示画面３１により、ユーザは、ＡＶシステム１を使用する際の様々な設定方法を必要に応じて知ることができる。特に、表示制御部２８２は、ＡＶシステム１で再生出力する内部音声信号又は外部音声信号が２チャンネルの音声信号であると判定されるとき、チャンネル変換をアンプ２７のＤＳＰ２７１に行わせるための設定方法の説明が表示されるヘルプ表示画面３１を液晶ディスプレイ３に表示させる。こうすれば、ＡＶシステム１で再生出力する音声信号を２チャンネルからマルチチャンネルに変換するための設定方法をユーザが容易に知ることができる。
【００３２】
ヘルプ表示画面３１の表示条件は、メモリ２６に格納される表示設定情報に設定されている。表示制御部２８２は、表示設定情報に基づいて、ヘルプ表示画面３１を液晶ディスプレイ３に表示させる。この表示設定情報には、たとえば、ヘルプ表示画面３１を表示するヘルプ表示機能のＯＮ／ＯＦＦや、ヘルプ表示画面３１の表示モード（たとえば後述の図３〜７）などが設定されている。なお、工場出荷時の初期設定では、表示設定情報のヘルプ表示機能は、ＯＮに設定されていてもよいし、ＯＦＦに設定されていてもよい。ただし、初期設定がＯＦＦである場合、ユーザはヘルプ表示機能があることに気付かない恐れがある。そのため、ヘルプ表示機能の初期設定はＯＮに設定されることが望ましい。
【００３３】
設定制御部２８３は、制御情報の生成、編集、削除を行う。特に、設定制御部２８３は、入力部２３又はリモコン受信部２５から入力される制御信号に応じて、メモリ２６に格納される表示設定情報や変換設定情報を編集する。たとえば、設定制御部２８３は、入力部２３又はリモコン２４が受け付けるユーザ入力に応じて、表示設定情報の各種のヘルプ表示画面を液晶ディスプレイ３に表示させるヘルプ表示機能のＯＮ／ＯＦＦやヘルプ表示画面３１の表示モードを設定する。こうすれば、ユーザは、チャンネル変換の設定方法などのヘルプ表示画面３１を液晶ディスプレイ３に表示させるか否かを予め設定することができる。そのため、ユーザがチャンネル変換の設定方法に習熟している場合には、そのヘルプ表示画面３１を表示させないようにすることができる。よって、ユーザはストレスなく装置を使用することができる。
【００３４】
液晶ディスプレイ３は、ＢＤプレイヤー２から入力される制御信号及び映像信号に基づく表示を行う。
【００３５】
複数のスピーカー４は、アンプ２７から入力される音声信号を再生出力する音声再生装置である。複数のスピーカー４には、内部音声信号、外部音声信号、ＤＳＰ２７１により音声変換処理が成された音声信号のうちのいずれかがアンプ２７から入力される。本実施形態では、複数のスピーカー４は、センタースピーカー４ａと、左フロントスピーカー４ｂと、右フロントスピーカー４ｃと、左リアスピーカー４ｄと、右リアスピーカー４ｅと、を含んで構成される。なお、本実施形態では、スピーカー４の数は５つであるが、スピーカー４の数はこの構成に限定されない。スピーカー４の数は３つ以上であればよい。
【００３６】
次に、チャンネル変換の設定方法のヘルプ表示画面３１が表示される手順について説明する。図２は、チャンネル変換の設定方法のヘルプ表示画面を表示する手順を説明するためのフローチャートである。
【００３７】
ユーザ入力により内部音声信号又は外部音声信号の再生出力が指示されると、音声判定部２８１は、メモリ２６から表示設定情報を読み出し、ヘルプ表示機能がＯＮに設定されているか否かを判定する（ステップＳ１）。ヘルプ表示機能がＯＦＦに設定されている場合（ステップＳ１でＮＯ）、ヘルプ表示画面３１が表示されることなく、図２の処理が終了する。その後、表示制御部２８２は、チャンネル変換の設定をするための設定画面を液晶ディスプレイ３に表示させる。
【００３８】
ヘルプ表示機能がＯＮに設定されている場合（ステップＳ１でＹＥＳ）、音声判定部２８１は、再生出力する音声信号が２チャンネルの音声信号であるか否かを判定する（ステップＳ２）。再生出力する音声信号が２チャンネルの音声信号ではないと判定される場合（ステップＳ２でＮＯ）には、図２の処理が終了する。
【００３９】
再生出力する音声信号が２チャンネルの音声信号であると判定される場合（ステップＳ２でＹＥＳ）、表示制御部２８２は液晶ディスプレイ３にマルチチャンネルの選択画面を表示させる（ステップＳ３）。この選択画面では、２チャンネルの音声信号をどのマルチチャンネルにチャンネル変換するかが、ユーザ入力により選択される。そして、入力部２３又はリモコン受信部２５から出力される制御信号に基づいて、ユーザが所望のマルチチャンネルを入力したか否かが判定される（ステップＳ４）。
【００４０】
所望のマルチチャンネルが入力されたと判定される場合（ステップＳ４でＹＥＳ）、所望のマルチチャンネルに応じた数のスピーカー４がＢＤプレイヤー２に接続されているか否かが確認される（ステップＳ５）。このステップＳ５では、たとえば、表示制御部２８２がスピーカー４の数の確認画面を液晶ディスプレイ３に表示させる。この確認画面では、ＡＶシステム１が備えるスピーカー４の数（すなわち、ＢＤプレイヤー２に接続されているスピーカー４の数）を確認する旨や、所望のマルチチャンネルで音声出力する際に必要なスピーカー４の数などが表示される。確認画面を見たユーザは、入力部２３又はリモコン２４を用いて、所望のマルチチャンネルに応じた数のスピーカー４がＢＤプレイヤー２に接続されているか否かを入力する。このユーザ入力に基づいて、ステップＳ５の判定は行われる。なお、ＢＤプレイヤー２に接続されているスピーカー４の数を検知する機能をＢＤプレイヤー２が有する場合には、その機能を用いた検知結果に基づいて、ステップＳ５の判定が行われてもよい。
【００４１】
所望のマルチチャンネルに応じた数のスピーカー４がＢＤプレイヤー２に接続されていないことが確認された場合（ステップＳ５でＮＯ）、図２の処理はステップＳ４に戻される。或いは、図２の処理が終了してもよい。
【００４２】
一方、所望のマルチチャンネルに応じた数のスピーカー４がＢＤプレイヤー２に接続されていることが確認された場合（ステップＳ５でＹＥＳ）、設定制御部２８３は、変換設定情報を編集し、編集した変換設定情報をメモリ２６に格納する（ステップＳ６）。変換設定情報の編集により、ユーザ入力された所望のマルチチャンネルが変換設定情報のチャンネル変換の条件に設定される。そして、表示制御部２８２は、表示設定情報に基づいて、チャンネル変換の設定方法の説明を表示するヘルプ表示画面３１を液晶ディスプレイ３に表示させる（ステップＳ７）。そして、図２の処理が終了する。
【００４３】
次に、ステップＳ７において表示されるヘルプ表示画面３１の表示モードについて説明する。図３〜図７はヘルプ表示画面３１の例を示す図である。図３は、ヘルプ表示画面の第１表示モードを示す図である。また、図４は、ヘルプ表示画面の第２表示モードを示す図である。また、図５は、ヘルプ表示画面の第３表示モードを示す図である。また、図６は、ヘルプ表示画面の第４表示モードを示す図である。また、図７は、ヘルプ表示画面の第５表示モードを示す図である。
【００４４】
第１表示モードでは、図３に示すように、液晶ディスプレイ３の表示画面３０にヘルプ表示画面３１のみが表示される。このヘルプ表示画面３１では、２チャンネルの音声信号をマルチチャンネルの音声信号に変換するチャンネル変換をアンプ２７のＤＳＰ２７１に行わせるための設定方法の説明が表示される。
【００４５】
第２表示モードでは、図４に示すように、ヘルプ表示画面３１は、チャンネル変換の設定をするための設定画面３２とともに表示される。こうすれば、ユーザはヘルプ表示画面３１を見ながら、チャンネル変換の設定をすることができる。
【００４６】
第３表示モードでは、図５に示すように、ヘルプ表示画面３１は、設定画面３２及び状況確認画面３３とともに表示される。第３表示モードのヘルプ表示画面３１では、ｎ（ｎは２以上の整数）個の段階に分けて、チャンネル変換の設定方法の説明が表示される。各段階のヘルプ表示画面３１では、設定画面３２で行うチャンネル変換の設定状況に応じた設定方法の説明が表示される。状況確認画面３３には、ヘルプ表示画面３１がどの段階を表示しているかが表示される。こうすれば、ユーザは状況確認画面３３を見て、どの段階の設定を行っているかを確認しながら、チャンネル変換の設定を行うことができる。
【００４７】
上述の第１〜第３表示モードではヘルプ表示画面３１は設定方法の説明文を表示しているが、ヘルプ表示画面３１は設定画面３２の挿絵又はイメージ図を交えて表示されてもよい。第４表示モードでは、図６に示すように、ヘルプ表示画面３１は設定画面３２のイメージ図を表示する。このイメージ図には説明文が適宜書き込まれている。それ以外は、第３表示モードと同様である。こうすれば、チャンネル変換の設定方法を視覚的に説明することができるので、ユーザは設定方法を理解し易くなる。
【００４８】
また、本実施形態では、所望のマルチチャンネルの決定やチャンネル変換の設定をユーザが手動で行うことを前提としているが、音声出力条件に基づいてそれらをＢＤプレイヤー２が自動的に行う構成としてもよい。なお、このような構成とした場合、図２のステップＳ３〜Ｓ５は省略される。この構成では、図２のステップＳ７において、たとえば図７の第５表示モードのようなヘルプ表示画面３１が表示される。第５表示モードでは、設定項目画面３４と条件入力画面３５とが表示される。設定項目画面３４には、どのマルチチャンネルの音声信号にチャンネル変換するかを決定するための音声出力条件の各項目が表示される。条件入力画面３５には、音声出力条件を入力するための入力画面が表示される。ユーザは、入力部２３又はリモコン２４を用いて、設定項目画面３４から音声出力条件を入力する項目を選択し、条件入力画面３５に音声出力条件を入力することができる。
【００４９】
こうすれば、ユーザは、所望のマルチチャンネルの決定やチャンネル変換の設定を手動で行う必要がない。そのため、音声信号の種類や規格の知識をあまり有していないユーザであっても、２チャンネルの音声信号を好適なマルチチャンネルの音声信号に簡便に変換することができる。
【００５０】
以上、本発明について実施形態をもとに説明した。この実施形態は例示であり、その各構成要件や各処理の組み合わせに色々な変形例が可能であり、本発明の範囲にあることは当業者に理解されるところである。
【００５１】
たとえば、上述の実施形態のＡＶシステム１は、ＢＤプレイヤー２に代えてＣＤプレイヤー、ＤＶＤプレイヤー、ＨＤＤプレイヤーなどを備えてもよい。或いは、ＡＶシステム１は、ＢＤプレイヤー２に代えて、ＢＤレコーダ及びＤＶＤレコーダなどのディスク記録再生装置や、パーソナルコンピュータやホームサーバなどの情報機器を備えてもよい。
【００５２】
また、上述の実施形態では、ＢＤプレイヤー２がマイクロプロセッサ２８を備えているが、本発明はこの構成に限定されない。このマイクロプロセッサ２８はアンプ２７に搭載されていてもよい。また、ＢＤプレイヤー２及びアンプ２７は個別の装置であってもよい。たとえば、アンプ２７はＢＤプレイヤー２に外部から接続される外部装置であってもよい。
【００５３】
また、上述の実施形態では、ＤＳＰ２７１はアンプ２７に搭載されているが、本発明はこの構成に限定されない。ＤＳＰ２７１は、アンプ２７に搭載されることなく、ＢＤプレイヤー２に搭載されてもよい。また、ＤＳＰ２７１が用いるプログラムやＤＳＰ２７１が参照する情報は、アンプ２７に搭載される別のメモリ２６（不図示）に格納されていてもよい。
【００５４】
上述の実施形態の音声判定部２８１、表示制御部２８２、及び設定制御部２８３は、１つのマイクロプロセッサ２８により実現されてもよいし、それぞれ異なる回路で実現されてもよい。或いは、これらが、メモリ２６に格納されたプログラムの機能により実現されてもよい。
【符号の説明】
【００５５】
１      ＡＶシステム
２        ＢＤプレイヤー
２１        ＢＤドライブ
２２        外部入出力部
２２１        外部接続端子
２３        入力部
２４        リモートコントローラ（リモコン）
２５        リモコン受信部
２６        メモリ
２７        アンプ
２７１        ＤＳＰ
２８        マイクロプロセッサ
２８１        音声判定部
２８２        表示制御部
２８３        設定制御部
３        液晶ディスプレイ
３０        表示画面
３１          ヘルプ表示画面
３２          設定画面
３３          状況確認画面
３４          設定項目画面
３５          条件入力画面
４        スピーカー
【図１】
2014045397.tif 000003
【図２】
2014045397.tif 000004
【図３】
2014045397.tif 000005
【図４】
2014045397.tif 000006
【図５】
2014045397.tif 000007
【図６】
2014045397.tif 000008
【図７】
2014045397.tif 000009